(57)【要約】      （修正有）【課題】互いに誤った位置では、切欠きの嵌め合わせができず、試行錯誤を繰り返して完成形に達する時間を競う組子のパズル玩具として利用でき、完成した際には、幾何学模様を有し、芸術品としての価値と趣がある組子を提供する。【解決手段】第１平角木材に差込み用第１切欠きを複数個開設し、共通の断面形状を有し、第１平角木材に組付けられる第ｎ平角木材に差込み用第ｎ切欠きを複数個開設し、第１切欠き窪みと、第ｎ切欠き窪みの深さは、第１・第ｎ平角木材の高さの、それぞれ１／２を含み、第１・第ｎ平角木材を井桁形状に組付けた組子である。第１平角木材と第ｎ平角木材の組付けに、それぞれの第１〜第ｎ切欠きを、互いに決められた位置で嵌め合わせ、試行錯誤を繰返し、完成形とする、時間と経験を競う組子のパズル玩具として利用できる。【選択図】図１
0003230475.tif 000002
【実用新案登録請求の範囲】
【請求項１】
多数本の同寸の一方平角木材と、多数本の同寸の他方平角木材を設け、
前記一方平角木材及び前記他方平角木材は、共通の断面形状を備え、
前記一方平角木材の長手方向に適宜間隔で一方切欠き（２−１〜２−ｎ）・（２−１ａ〜２−ｎａ）を複数個開設し、
前記他方平角木材の長手方向に適宜間隔で前記一方切欠きと同寸の他方切欠き（３−１〜３−ｎ）・（３−１ａ〜３−ｎａ）を複数個開設し、
前記一方切欠き（２−１〜２−ｎ）及び前記他方切欠き（３−１〜３−ｎ）に、前記一方切欠き（２−１ａ〜２−ｎａ）及び／又は前記他方切欠き（３−１ａ〜３−ｎａ）を組付け可能とするとともに、この一方切欠き（２−１〜２−ｎ）・（２−１ａ〜２−ｎａ）及びこの他方切欠き（３−１〜３−ｎ）・（３−１ａ〜３−ｎａ）の深さに、前記一方平角木材及び前記他方平角木材の板幅が差込みされる構成とした、
前記一方平角木材及び前記他方平角木材を井桁形状に組付ける組子。
【請求項２】
前記一方切欠き（２−１〜２−ｎ）及び前記他方切欠き（３−１〜３−ｎ）に、前記一方切欠き（２−１ａ〜２−ｎａ）及び／又は前記他方切欠き（３−１ａ〜３−ｎａ）を、前記井桁形状に嵌め込むことで、複数の幾何学模様を製作可能とする構成とした請求項１に記載の組子。
【請求項３】
前記一方切欠き（２−１〜２−ｎ）・（２−１ａ〜２−ｎａ）と前記他方切欠き（３−１〜３−ｎ）・（３−１ａ〜３−ｎａ）とによる、前記井桁形状への嵌め込みと、この嵌め込みからの、この一方切欠きとこの他方切欠きの、嵌め込み解除と、を繰り返し、前記幾何学模様を変更可能とする構成とした請求項１に記載の組子。
【請求項４】
前記一方切欠き（２−１〜２−ｎ）・（２−１ａ〜２−ｎａ）及び前記他方切欠き（３−１〜３−ｎ）・（３−１ａ〜３−ｎａ）の幅と、前記一方平角木材と、前記他方平角木材の前記板幅との関係は、
切欠きの幅＞板幅
とする構成とした請求項１に記載の組子。
【請求項５】
前記組子は、台座を備え、
前記一方平角木材、及び／又は、前記他方平角木材の下辺には、楔部を備えており、この楔部を、前記台座の上面に均等間隔に設けた多数条の溝に嵌め込み可能とする構成とした請求項１に記載の組子。
【請求項６】
前記台座の前記溝に、前記一方平角木材、及び／又は、前記他方平角木材の前記楔部を嵌め込むことで、前記一方平角木材、及び／又は、前記他方平角木材が自立可能とする構成とした請求項５に記載の組子。
【考案の詳細な説明】
【技術分野】
【０００１】
本考案は、伝統の木工技法の組子や、障子の桟を組む技術を活用し、指定の図形を完成させるパズル玩具の組子に関する。
【背景技術】
【０００２】
従来、複数の構成要素(パーツであり、本考案では、第１平角木材〜第ｎ平角木材とする)を、特定の位置に配置することと、この第１平角木材〜第ｎ平角木材を組み合わせ、指定の図形を完成するパズル玩具の組子がある。
【０００３】
第１平角木材〜第ｎ平角木材には、組子としてそれぞれ異なる加工を施し、第１平角木材〜第ｎ平角木材に窪み形状を形成することで、第１平角木材〜第ｎ平角木材の位置関係を計って、位置を決定した後に、第１平角木材〜第ｎ平角木材を互いに嵌合させる作業を経て、指定の図形（装飾品、置台、椅子の座面、本棚、飾り等の木の芸術）を完成する組子である。
【０００４】
先行文献として、次のような考案が挙げられる。
【０００５】
例えば、実用新案登録第３２０５９４３号公報の「組木、それを利用した組立体及び家具」であって、要約は、「単純な柱状の構造であっても、複雑な組立体（組子）を得る。創造性豊かな組木遊びや家具への応用を可能とする組木、それを利用した組立体及び家具であって、例えば、組木（１０）は、柱状の基部の両側に左右対称の切り欠き（１２）、（１４）を設け、切り欠きは、基部と組み合う、又は切り欠き同士が組み合うようもので、一種類の組木で複雑な組立体を形成できる。」である。
【０００６】
しかし、切り欠きに関する幅のコンセプトが規定されていないこと、又はＷと２Ｗの切り欠き（１２）、（１４）であって、汎用性と組子の構造が限定されることが考えられる。
【０００７】
また、その他として、例えば、特開２０１０−１６２１９２号公報の「動物の形を表現した組木パズル」であって、要約は、「従来の組木パズルは、幾何学的な形状が一般的であり、面白味に欠ける。即ち、自由な発想で色々な動物を表現できる組木パズルはなかった。そこで、本発明は、伝統的な籠目（かごめ）状平面六角形を基本とした組木において、構成部品である四角柱状棒材の延長部を動物の一部分に似せ、延長部の組合せで、動物の形を表現する。また、構成部品の棒材を、平面六角形方向の太さの２倍以上の厚さとし、動物の自立を図る。」である。
【０００８】
しかし、延長部の組合せで、動物の形を表現するコンセプトであって、全体として動物の感覚を表現するには無理があると考えられる。また、面白味を十分に表現しているとは考えられない。
【０００９】
上記に鑑み、本考案は、第１平角木材〜第ｎ平角木材を、特定の位置に配置することと、この第１平角木材〜第ｎ平角木材を組み合わせ、指定の図形を完成するパズル玩具の組子の提供である。
【００１０】
また、台座に設けた溝に、第１平角木材、及び／又は、第ｎ平角木材の楔部を嵌め込み、この第１平角木材、及び／又は、この第ｎ平角木材が自立可能とする構成とし、組付けの簡便性と、何人でも楽しむことができる組子の提供である。
【先行技術文献】
【特許文献】
【００１１】
【特許文献１】実用新案登録第３２０５９４３号公報
【特許文献２】特開２０１０−１６２１９２号公報
【考案の概要】
【考案が解決しようとする課題】
【００１２】
そこで、本考案の構成要素は、長短尺第１・２平角木材（１・２は省略）、及び、長短尺第ｎ平角木材（平角木材か、平角棒材）で、長短尺第１平角木材、及び、長短尺第ｎ平角木材の断面形状は同一であり、それぞれの長手方向（木材の長手方向）の長さは区々である。長短尺第１平角木材、及び、長短尺第ｎ平角木材に設けた一方切欠き、及び、他方切欠きの、長手方向の位置関係・数とか、その長短尺平角木材の幅厚（横断方向の板厚）は、必要により、区々である。この構成要素を特定の位置に置いて組み合わせ、図形を完成させる組子である。そして、一方切欠き、及び、他方切欠きは、互いに誤った位置では、嵌め合わせができず、結果として、試行錯誤を繰り返して完成形に達する時間を競う組子のパズル玩具である。なお、この長尺第１平角木材、この短尺第２平角木材の断面形状は同一としたが、板厚は、変更も有り得る。即ち、さらに他の組子のパズル玩具を提供できる。
【００１３】
その一方で、パズル玩具は、完成図形において、幾何学模様を有し、装飾目的として鑑賞に役立つ、芸術品としての価値と、趣があること等の特徴がある。物としての使用価値と有利性を発揮できる。併せて、前述と同様の製作手段を駆使し、多様な完成図形を製作、かつ提案できる考案とした。
【課題を解決するための手段】
【００１４】
前述の課題解決と、本考案の目的達成とを意図し、請求項１〜請求項６を提案する。
【考案の効果】
【００１５】
請求項１の考案は、
多数本の同寸の一方平角木材と、多数本の同寸の他方平角木材を設け、
一方平角木材及び他方平角木材は、共通の断面形状を備え、
一方平角木材の長手方向に適宜間隔で一方切欠き（２−１〜２−ｎ）・（２−１ａ〜２−ｎａ）を複数個開設し、
他方平角木材の長手方向に適宜間隔で一方切欠きと同寸の他方切欠き（３−１〜３−ｎ）・（３−１ａ〜３−ｎａ）を複数個開設し、
一方切欠き（２−１〜２−ｎ）及び他方切欠き（３−１〜３２−ｎ）に、一方切欠き（２−１ａ〜２−ｎａ）及び／又は他方切欠き（３−１ａ〜３−ｎａ）を組付け可能とするとともに、この一方切欠き（２−１〜２−ｎ）・（２−１ａ〜２−ｎａ）及び他方切欠き（３−１〜３−ｎ）・（３−１ａ〜３−ｎａ）の深さに、一方平角木材及び他方平角木材の板幅が差込みされる構成とした、
一方平角木材及び他方平角木材を井桁形状に組付ける組子とした。
【００１６】
これにより、本考案では、一方切欠き、及び、他方切欠きは、互いに誤った位置では、嵌め合わせができず、結果として、試行錯誤を繰り返して完成形に達する時間を競う組子のパズル玩具として利用できる。また、パズル玩具は、完成した際には、幾何学模様を有し、装飾目的として鑑賞に役立つ、芸術品としての価値と、趣があること等の特徴がある。物としての使用価値と有利性を発揮できる。併せて、前述と同様の製作手段を駆使し、多様な完成図形を表現したパズル玩具である。
【００１７】
請求項２の考案は、
一方切欠き（２−１〜２−ｎ）及び他方切欠き（３−１〜３−ｎ）に、一方切欠き（２−１ａ〜２−ｎａ）及び／又は他方切欠き（３−１ａ〜３−ｎａ）を、井桁形状に嵌め込むことで、複数の幾何学模様を製作可能とする構成とした組子である。
【００１８】
これにより、請求項１と同じ効果が期待できる。また、この効果達成の一方切欠き、及び、他方切欠きを、井桁形状に嵌め込み、複数の幾何学模様を製作可能となる。
【００１９】
請求項３の考案は、
一方切欠き（２−１〜２−ｎ）・（２−１ａ〜２−ｎａ）と他方切欠き（３−１〜３−ｎ）・（３−１ａ〜３−ｎａ）とによる、井桁形状への嵌め込みと、嵌め込みからの、一方切欠きと他方切欠きとの、嵌め込み解除と、を繰り返し、幾何学模様を変更可能とする構成とした組子である。
【００２０】
これにより、請求項１と同じ効果が期待できる。また、この効果達成の一方切欠き、及び、他方切欠きの、井桁形状への嵌め込みと、嵌め込み解除を、容易にできる特徴がある。
【００２１】
請求項４の考案は、
一方切欠き（２−１〜２−ｎ）・（２−１ａ〜２−ｎａ）及び他方切欠き（３−１〜３−ｎ）・（３−１ａ〜３−ｎａ）の幅と、一方平角木材と、他方平角木材の板幅との関係は、
切欠きの幅＞板幅
とする構成とした組子である。
【００２２】
これにより、請求項１と同じ効果が期待できる。また、この効果達成の一方切欠き、及び、他方切欠きの切欠きの幅と、一方平角木材と、他方平角木材の板幅との関係を提供できる。
【００２３】
請求項５の考案は、
組子は、台座を備え、
一方平角木材、及び／又は、他方平角木材の下辺には、楔部を備えており、楔部を、台座の上面に均等間隔に設けた多数条の溝に嵌め込み可能とする構成とした組子である。
【００２４】
これにより、請求項１と同じ効果が期待できる。また、この効果達成の一方平角木材、及び／又は、他方平角木材の楔部の構造と、台座に均等間隔に設けた多数条の溝の構造を提供できる。
【００２５】
請求項６の考案は、
台座の溝に、一方平角木材、及び／又は、他方平角木材の楔部を嵌め込むことで、一方平角木材、及び／又は、他方平角木材が自立可能とする構成とした組子である。
【００２６】
これにより、請求項５と同じ効果が期待できる。また、この効果達成の一方平角木材、（以後、長尺平角木材とする）及び／又は、他方平角木材（以後、短尺平角木材とする）の楔部の構造を提供できる。
【図面の簡単な説明】
【００２７】
図１〜図８は第１実施例であり、長尺、及び／又は短尺の第１〜第ｎ平角木材の下辺がフラットであり、台座の溝は、横断方向（図においてＱ方向）より見て凹形状であって、この長尺、及び短尺の第１〜第ｎ平角木材の下辺の切欠きは、板面方向より見て凹形状とする構造である。
【図１】組子の俯瞰図
【図２】（イ）及び（ハ）は長尺、短尺の第１〜第ｎ平角木材の加工前の原材の正面図、（ロ）及び（ニ）は長尺、短尺の第１〜第ｎ平角木材の加工後の正面図
【図３】（イ）は長尺第１・第２・第３・第４・第５・第６・第７平角木材、及び長尺第ｎ平角木材の加工後の正面図、（ロ）は短尺第１・第２・第３・第４・第５・第６・第７平角木材、及び短尺第ｎ平角木材の加工後の正面図
【図４】（イ）は長尺第１・第２・第３・第４・第５・第６・第７平角木材、及び長尺第ｎ平角木材の何れか一つを示した俯瞰斜視図、（ロ）は短尺第１・第２・第３・第４・第５・第６・第７平角木材、及び短尺第ｎ平角木材の何れか一つを示した俯瞰斜視図
【図５】図４に示した長尺第１・第２・第３・第４・第５・第６・第７平角木材、及び長尺第ｎ平角木材の何れか４本と、同図短尺第１・第２・第３・第４・第５・第６・第７平角木材、及び短尺第ｎ平角木材の何れか２本を組み付ける過程を示した俯瞰斜視図
【図６】図４に示した長短尺の、例えば、第１平角木材と台座との関係を示しており、（イ）は台座の平面図、（ロ）は台座の凹形状の溝と、第１平角木材の板形状の切欠きとの係わりを示した図、（ハ）は（ロ）を説明した図
【図７】（イ）〜（ハ）は、長尺、及び短尺の第１〜第ｎ平角木材と台座を利用し、長尺の平角木材と、短尺の平角木材の収容状態から途中の工程を経て、組付け、完成する様を示した縮尺平面図
【図８】（イ）〜（チ）は、それぞれ組子の一例を簡略して示した縮尺平面図
【００２８】
図９〜図１６は第２実施例であり、長尺、及び／又は短尺の第１〜第ｎ平角木材の下辺が楔形状であり、台座の溝は、横断方向（図においてＱ方向）より見て三角形状であって、この長尺、及び／又は短尺の第１〜第ｎ平角木材の下辺の切欠きは、板面方向より見て凹形状とする構造である。
【図９】組子の俯瞰図
【図１０】（イ）及び（ハ）は長尺、短尺の第１〜第ｎ平角木材の加工前の原材の正面図、（ロ）及び（ニ）は長尺、短尺の第１〜第ｎ平角木材の加工後の正面図
【図１１】（イ）は長尺第１・第２・第３・第４・第５・第６・第７平角木材、及び長尺第ｎ平角木材の加工後の正面図、（ロ）は短尺第１・第２・第３・第４・第５・第６・第７平角木材、及び短尺第ｎ平角木材の加工後の正面図
【図１２】（イ）は長尺第１・第２・第３・第４・第５・第６・第７平角木材、及び長尺第ｎ平角木材の何れか一つを示した俯瞰斜視図、（ロ）は短尺第１・第２・第３・第４・第５・第６・第７平角木材、及び短尺第ｎ平角木材の何れか一つを示した俯瞰斜視図
【図１３】図１２に示した長尺第１・第２・第３・第４・第５・第６・第７平角木材、及び長尺第ｎ平角木材の何れか４本と、同図短尺第１・第２・第３・第４・第５・第６・第７平角木材、及び短尺第ｎ平角木材の何れか２本を組み付ける過程を示した俯瞰斜視図
【図１４】図１２に示した長短尺の、例えば、第１平角木材と台座との関係を示しており、（イ）は台座の平面図、（ロ）は台座の三角形状の溝と、第１平角木材の板形状の楔の係わりを示した図、（ロ´）は（ロ）の別の実施例を示した図、（ハ）は（ロ）を説明した図
【図１５】（イ）〜（ハ）は、長尺、及び短尺の第１〜第ｎ平角木材と台座を利用し、長尺の平角木材と、短尺の平角木材の収容状態から途中の工程を経て、組付け、完成する様を示した縮尺平面図
【図１６】（イ）〜（チ）は、それぞれ組子の一例を簡略して示した縮尺平面図
【図１７】長尺第１・第２・第３・第４・第５・第６・第７平角木材、及び長尺第ｎ平角木材と、同図短尺第１・第２・第３・第４・第５・第６・第７平角木材、及び短尺第ｎ平角木材の上下辺に、それぞれ切欠きを形成し、上辺の切欠きは、板面方向より見て凹形状とする構造の図
【図１８】定めた寸法（８ａ）、又は（８０ａ）を、前述の図１〜図１６に対し、変更した寸法による、他の例の組み付け状態を示した図
【考案を実施するための形態】
【００２９】
先ず、図１〜図８（チ）に示した第１実施例に関して説明すると、台座５の溝６−１〜６−ｎは、板面方向（図５のＱ方向）より見て凹形状であって、この第１平角木材、及び／又は、第ｎ平角木材の上辺及び下辺はいずれも、横断方向より見てフラット形状とする構造である。
【００３０】
この例では、図２の（イ）、（ロ）に、長尺第１・第２・第３・第４・第５・第６・第７平角木材、及び長尺第ｎ平角木材の原材イ−１・イ−２・イ−３・イ−４・イ−５・イ−６・イ−７〜イ−ｎ（総称する時は、イ−１〜イ−ｎとする。）を、また、（ハ）と（ニ）に、短尺第１・第２・第３・第４・第５・第６・第７平角木材、及び短尺第ｎ平角木材の原材ロ−１・ロ−２・ロ−３・ロ−４・ロ−５・ロ−６・ロ−７〜ロ−ｎ（総称する時は、ロ−１〜ロ−ｎとする。）を示した。それぞれ、長尺第１〜第ｎ平角木材（一方平角木材）の原材イ−１〜イ−ｎの下辺であるイ−１ａ・イ−２ａ・イ−３ａ・イ−４ａ・イ−５ａ・イ−６ａ・イ−７ａ〜イ−ｎａ（総称する時は、イ−１ａ〜イ−ｎａとする。）と、短尺第１〜第ｎ平角木材（他方平角木材）の原材ロ−１〜ロ−ｎの下辺であるロ−１ａ・ロ−２ａ・ロ−３ａ・ロ−４ａ・ロ−５ａ・ロ−６ａ・ロ−７ａ〜ロ−ｎａ（総称する時は、ロ−１ａ〜ロ−ｎａとする。）には、横断方向（図５において、図示のＱ方向）より見て板形状の切欠き２−１〜２−ｎ・３−１〜３−ｎを、適宜間隔で、複数個所に形成する。即ち、図３（イ）、（ロ）において、長尺第１〜第ｎ平角木材イ−１０〜イ−ｎ０（イ−１０・イ−２０・イ−３０・イ−４０・イ−５０・イ−６０・イ−７０〜イ−ｎ０）の下辺イ−１ａ〜イ−ｎａにおいて、切欠き２−１〜２−ｎが形成されるとともに、短尺第１〜第ｎ平角木材ロ−１０〜ロ−ｎ０（ロ−１０・ロ−２０・ロ−３０・ロ−４０・ロ−５０・ロ−６０・ロ−７０〜ロ−ｎ０）の下辺ロ−１ａ〜ロ−ｎａにおいて、切欠き３−１〜３−ｎが形成される。
【００３１】
尚、図６（イ）〜（ハ）の如く、台座５を使用し、この台座５に長尺第１〜第ｎ平角木材イ−１０〜イ−ｎ０を組付け、パズル玩具Ａを形成する際には、次の手段と、寸法保持を図る。例えば、（ロ）の如く、台座５には、長尺第１〜第ｎ平角木材イ−１０〜イ−ｎ０を組付けられる凹形状の溝６−１〜６−ｎを備えており、この溝６−１〜６−ｎには、必要とする、それぞれの長尺第１〜第ｎ平角木材イ−１０〜イ−ｎ０及び／又は短尺第１〜第ｎ平角木材ロ−１０〜ロ−ｎ０の板厚７、又は板高さ８の定めた寸法（定めた寸法は任意である）８ａを差込み係止、又は差込みし、間隔維持と、整列状態、パズル玩具形状確保等を図る。そして、差込み（組込み）使用でき、又は容易な組付け・取外しを図るために、寸法は下記とする。
【００３２】
板厚７＜溝６−１〜６−ｎの幅
定めた寸法８ａ＞溝６−１〜６−ｎの深さ
【００３３】
そして、また、切欠き２−１〜２−ｎ及び／又は３−１〜３−ｎにおいて、長尺平角木材イ−１０〜イ−ｎ０、及び／又は、短尺平角木材ロ−１０〜ロ−ｎ０を係止する際においても、前述の差込み係止とし、間隔維持と、整列状態、パズル玩具形状確保等を図る。そして、差込み（組込み）使用でき、又は容易な組付け・取外しを図るために、寸法は下記とする。
【００３４】
板厚７＜切欠き２−１〜２−ｎ及び３−１〜３−ｎの幅
定めた寸法８ａ＞切欠き２−１〜２−ｎ及び３−１〜３−ｎの深さ
【００３５】
図面において、図４（イ）と、図４（ロ）は、長尺の平角木材イ−１０の切欠き２―１に、短尺の平角木材ロ−１０の切欠き３−１を、差込み係止する関係を説明している。また図５は、図４の状態より、長尺の平角木材イ−１０・イ−２０・イ−３０・イ−４０の切欠き２−１〜２−ｎと、短尺の平角木材ロ−１０、ロ−２０の切欠き３−１〜３−ｎを組付ける状態を示しているが、一例であり、何れも限定されない。
【００３６】
また、図７では、図１のパズル玩具Ａ（完成図形、図形模様等）と台座５を利用し、長尺の平角木材イ−１０〜イ−ｎ０の切欠き２−１〜２−ｎと、短尺の平角木材ロ−１０〜ロ−ｎ０の切欠き３−１〜３−ｎの収容状態から途中の工程を経て、組付け、完成する様を示している。それぞれ一例であり、（イ）は、収容状態であって、台座５に、長尺第１・第２・第３・第４・第５・第６・第７平角木材、及び長尺第８平角木材イ−１０〜イ−８０（互いに同じ構造であって、図４（イ）のようにそれぞれが、切欠き２−１〜２−ｎを６個ずつ備える）の八枚と、短尺第１・第２・第３・第４・第５・第６・第７平角木材、及び短尺第８平角木材ロ−１０〜ロ−８０（互いに同じ構造であって、図４（ロ）のようにそれぞれが、切欠き３−１ａ〜３−ｎａを４個ずつ備える）の八枚が、それぞれ２段重ねで、並置されている。
【００３７】
これを利用し、図７（ロ）は、台座５の溝６−１〜６−ｎのうち、決められた所定位置に、長尺第１〜第４平角木材イ−１０〜イ−４０のそれぞれの上辺（切欠き２−１〜２−ｎの反対面）を、差込み支持し、かつ短尺第１〜第４平角木材ロ−１０〜ロ−４０の上辺（切欠き３−１〜３−ｎの反対面）を、差込み支持する。次に、長尺第１〜第４平角木材イ−１０〜イ−４０のそれぞれの切欠き２−１〜２−ｎ、及び、短尺第１〜第４平角木材ロ−１０〜ロ−４０のそれぞれの切欠き３−１〜３−ｎのうちの所定箇所に、長尺第５〜第８平角木材イ−５０〜イ−８０のそれぞれの切欠き２−１ａ〜２−ｎａのいずれかを、差込み係止する。図７（ロ）は、以上のように井桁形状に組み付ける途中の状態で、かつ残りの四枚の短尺第５〜第８平角木材ロ−５０〜ロ−８０は、組み付け準備中であり、台座５の枠外に置かれている（図示しない）。また（ロ）の完成により、長尺第１〜第８平角木材イ−１０〜イ−８０によって、井桁形状の外郭ができる。
【００３８】
これに続いて、長尺第１〜第４平角木材イ−１０〜イ−４０、並びに短尺第１〜第４平角木材ロ−１０〜ロ−４０の所定位置に、（ハ）の如く、残りの短尺第５〜第８平角木材ロ−５０〜ロ−８０を、所定の切欠き２−１〜２−ｎと切欠き３−１ａ〜３−ｎａを利用し、組付けて、井桁形状が完成する。（ハ）の組付け関係は、同図に丸付きの１と丸付きの２の記号で示してある。
【００３９】
図８（イ）〜（チ）は、本考案のパズル玩具Ａの図形模様のそれぞれを示しており、全て、前述した長尺の平角木材イ−１０〜イ−ｎ０の切欠き２−１〜２−ｎと、短尺の平角木材ロ−１０〜ロ−ｎ０の切欠き３−１〜３−ｎの組付けを利用したものである。
【００４０】
次に、図９〜図１６に示した第２実施例に関して説明すると、この考案の第２実施例であり、台座５の溝は、横断方向（図１３においてＱ方向）より見て三角形状の凹形状であって、この第１平角木材、及び／又は、第ｎ平角木材の上辺又は下辺のいずれか一方が楔形状とする構造である。
【００４１】
この例では、図１０の（イ）に、長尺第１・第２・第３・第４・第５・第６・第７平角木材、及び長尺第ｎ平角木材の原材イ−１・イ−２・イ−３・イ−４・イ−５・イ−６・イ−７〜イ−ｎ（総称する時は、イ−１〜イ−ｎとする。）と、また、（ハ）に、短尺第１・第２・第３・第４・第５・第６・第７平角木材、及び短尺第ｎ平角木材の原材ロ−１・ロ−２・ロ−３・ロ−４・ロ−５・ロ−６・ロ−７〜ロ−ｎ（総称する時は、ロ−１〜ロ−ｎとする。）を示した。この例では、それぞれ、長尺第１〜第ｎ平角木材の原材イ−１〜イ−ｎの下辺であるイ−１ａ・イ−２ａ・イ−３ａ・イ−４ａ・イ−５ａ・イ−６ａ・イ−７ａ〜イ−ｎａ（総称する時は、イ−１ａ〜イ−ｎａとする。）と、短尺第１〜第ｎ平角木材の原材ロ−１〜ロ−ｎの下辺であるロ−１ａ・ロ−２ａ・ロ−３ａ・ロ−４ａ・ロ−５ａ・ロ−６ａ・ロ−７ａ〜ロ−ｎａ（総称する時は、ロ−１ａ〜ロ−ｎａとする。）には、横断方向（図１３において、図示のＱ方向）より見て板形状の切欠き２−１〜２−ｎ・３−１〜３−ｎを、適宜間隔で、複数個所に形成する。即ち、図１１（イ）、（ロ）において、長尺第１〜第ｎ平角木材イ−１０〜イ−ｎ０（イ−１０・イ−２０・イ−３０・イ−４０・イ−５０・イ−６０・イ−７０〜イ−ｎ０）の下辺において、切欠き２−１〜２−ｎが形成されるとともに、短尺第１〜第ｎ平角木材ロ−１０〜ロ−ｎ０（ロ−１０・ロ−２０・ロ−３０・ロ−４０・ロ−５０・ロ−６０・ロ−７０〜ロ−ｎ０）の下辺において、切欠き３−１〜３−ｎが形成される。そして、長尺第１〜第ｎ平角木材イ−１０〜イ−ｎ０及び短尺第１〜第ｎ平角木材ロ−１０〜ロ−ｎ０の、上辺又は下辺のいずれかには、横断方向からみて楔形状の楔７０を形成する。
【００４２】
尚、図１４（イ）〜（ハ）の如く、台座５を使用し、この台座５に長尺第１〜第ｎ平角木材イ−１０〜イ−ｎ０を組付け、パズル玩具Ａを形成する際には、次の手段と、寸法保持を図る。例えば、（ロ）の如く、台座５には、長尺第１〜第ｎ平角木材イ−１０〜イ−ｎ０を組付けられる三角形状の溝６０−１〜６０−ｎを備えており、この溝６０−１〜６０−ｎには、必要とする、それぞれの長尺第１〜第ｎ平角木材イ−１０〜イ−ｎ０及び／又は短尺第１〜第ｎ平角木材ロ−１０〜ロ−ｎ０の楔７０、又は板高さ８０の定めた寸法（定めた寸法は任意である）８０ａを差込み係止、又は差込みし、間隔維持と、整列状態、パズル玩具形状確保等を図る。そして、差込み（組込み）使用でき、又は容易な組付け・取外しを図るために、寸法は下記とする。
【００４３】
楔７０の厚み＜溝６０−１〜６０−ｎの幅
定めた寸法８０ａ＞溝６０−１〜６０−ｎの深さ
【００４４】
そして、また、切欠き２−１〜２−ｎ及び／又は３−１〜３−ｎにおいて、長尺平角木材イ−１０〜イ−ｎ０、及び／又は、短尺平角木材ロ−１０〜ロ−ｎ０を係止する際においても、前述の差込み係止し、間隔維持と、整列状態、パズル玩具形状確保等を図る。そして、差込み（組込み）使用でき、又は容易な組付け・取外しを図るために、寸法は下記とする。
【００４５】
楔７０の厚み＜切欠き２−１〜２−ｎ及び３−１〜３−ｎの幅
定めた寸法８０ａ＞切欠き２−１〜２−ｎ及び３−１〜３−ｎの深さ
【００４６】
図面において、図１２（イ）と、図１２（ロ）は、長尺の平角木材イ−１０の切欠き２―１に、短尺の平角木材ロ−１０の楔７０を備える下辺にある切欠き３―１を、差込み係止する関係を説明している。また図１３は、図１２の状態より、長尺第１〜第４平角木材イ−１０・イ−２０・イ−３０・イ−４０の切欠き２−１〜２−ｎと、短尺第１・第２平角木材ロ−１０、ロ−２０の切欠き３−１〜３−ｎを組付ける状態を示しているが、一例であり、何れも限定されない。
【００４７】
また、図１５では、図１０のパズル玩具Ａ（完成図形、図形模様等）と台座５を利用し、長尺の平角木材イ−１０〜イ−ｎ０の切欠き２−１〜２−ｎと、短尺の平角木材ロ−１０〜ロ−ｎ０の切欠き３−１〜３−ｎの収容状態から途中の工程を経て、組付け、完成する様を示している。それぞれ一例であり、（イ）は、収容状態であって、台座５に、長尺第１・第２・第３・第４・第５・第６・第７平角木材、及び長尺第８平角木材イ−１０〜イ−８０（互いに同じ構造であって、図１２（イ）のようにそれぞれが、切欠き２−１〜２−ｎを６個ずつ備える）の八枚と、短尺第１・第２・第３・第４・第５・第６・第７平角木材、及び短尺第８平角木材ロ−１０〜ロ−８０（互いに同じ構造であって、図１２（ロ）のようにそれぞれが、切欠き３−１〜３−ｎを４個ずつ備える）の八枚が、それぞれ２段重ねで、並んで設置されている。
【００４８】
これを利用し、図１５（ロ）は、台座５の溝６０−１〜６０−ｎのうち、決められた所定位置に、長尺第１〜第４平角木材イ−１０〜イ−４０のそれぞれの楔７０を、差込み支持し、かつ短尺第１〜第４平角木材ロ−１０〜ロ−４０の楔７０を、差込み支持する。次に、長尺第１〜第４平角木材イ−１０〜イ−４０のそれぞれの切欠き２−１〜２−ｎ、及び、短尺第１〜第４平角木材ロ−１０〜ロ−４０のそれぞれの切欠き３−１〜３−ｎのうちの所定箇所に、長尺第５〜第８平角木材イ−５０〜イ−８０のそれぞれの楔７０を備える下辺にある切欠き２−１ａ〜２−ｎａのいずれかを、差込み係止する。図１５（ロ）は、以上のように井桁形状に組み付ける途中の状態で、かつ残りの四枚の短尺第５〜第８平角木材ロ−５０〜ロ−８０は、組み付け準備中であり、台座５の枠外に置かれている（図示しない）。また（ロ）の完成により、長尺第１〜第８平角木材イ−１０〜イ−８０によって、井桁形状の外郭ができる。
【００４９】
これに続いて、長尺第１〜第４平角木材イ−１０〜イ−４０、並びに短尺第１〜第４平角木材ロ−１０〜ロ−４０の所定位置に、（ハ）の如く、残りの短尺第５〜第８平角木材ロ−５０〜ロ−８０を、所定の切欠き２−１〜２−ｎと切欠き３−１ａ〜３−ｎａを利用し、組付けて、井桁形状が完成する。（ハ）の組付け関係は、同図に丸付きの１と丸付きの２の記号で示してある。
【００５０】
さらに図１６（イ）〜（チ）は、本考案のパズル玩具Ａの図形模様のそれぞれを示しており、全て、前述した長尺の平角木材イ−１０〜イ−ｎ０の切欠き２−１〜２−ｎと、短尺の平角木材ロ−１０〜ロ−ｎ０の切欠き３−１〜３−ｎの組付けを利用したものである。尚、図１４の（ロ´）は長尺の平角木材イ−１０、短尺の平角木材ロ−１０は、楔７０を有さない第１実施例の形態でも使用可能な状態を示している。多様な組子の別の実施例を示している（第三実施例）。
【００５１】
さらに図１７は、第三実施例を示しており、例えば、長尺の平角木材イ−１０〜イ−ｎ０の下辺の切欠き２−１ａ〜２−ｎａと、短尺の平角木材ロ−１０〜ロ−ｎ０の下辺の切欠き３−１ａ〜３−ｎａに合わせて、長尺の平角木材イ−１０〜イ−ｎ０の上辺に切欠き２−１〜２−ｎと、短尺の平角木材ロ−１０〜ロ−ｎ０の上辺に切欠き３−１〜３−ｎを設けることで、二段以上の多段の井桁形状に組付けた組子を確保できる。多様な組付け（多段の井桁形状のパズル玩具）を形成できる。
【００５２】
また、図１８は、定めた寸法８ａ、又は８０ａを、前述の図１〜図１６に対し、変更した、他の例の組み付け状態を示した図である。
【００５３】
そして、本考案では、完成された幾何学模様は、例えば、方眼台紙（台座５）の上に描かれている。必要とされる全体寸法と構成要素の部材寸法から、同一の手順を経て多様な図形のパズル玩具Ａの組子が製作できることが特徴であり、各人が訓練と経験で、製作スピードの向上と、腕を向上でき、子供から成人、或いは老若男女の全ての人に有益である。即ち、方眼紙上に描画できる図形であれば、いかようにも当該パズル玩具Ａとして実現ができる。
【００５４】
本考案は上述した実施の形態に限定されるものではなく、各請求項に示した範囲内での
種々の変更が可能である。例えば、各請求項に示した範囲内で適宜変更した技術的手段を
組み合わせて得られる実施のそれぞれの形態も、本考案の技術的範囲に含まれる。
【符号の説明】
【００５５】
イ−１〜イ−ｎ  長尺第１〜第ｎ平角木材の原材
イ−１ａ〜イ−ｎａ  長尺第１〜第ｎ平角木材の原材の下辺
イ−１０〜イ−ｎ０  長尺第１〜第ｎ平角木材
ロ−１〜ロ−ｎ  短尺第１〜第ｎ平角木材の原材
ロ−１ａ〜ロ−ｎａ  短尺第１〜第ｎ平角木材の原材の下辺
ロ−１０〜ロ−ｎ０  短尺第１〜第ｎ平角木材
２−１〜２−ｎ  切欠き
２−１ａ〜２−ｎａ  切欠き
３−１〜３−ｎ  切欠き
３−１ａ〜３−ｎａ  切欠き
５  台座
６−１〜６−ｎ  溝
６０−１〜６０−ｎ  溝
７  板厚
８  高さ
８ａ  定めた寸法
７０  楔
８０  高さ
８０ａ  定めた寸法
Ａ  パズル玩具
【図１】
0003230475.tif 000003
【図２】
0003230475.tif 000004
【図３】
0003230475.tif 000005
【図４】
0003230475.tif 000006
【図５】
0003230475.tif 000007
【図６】
0003230475.tif 000008
【図７】
0003230475.tif 000009
【図８】
0003230475.tif 000010
【図９】
0003230475.tif 000011
【図１０】
0003230475.tif 000012
【図１１】
0003230475.tif 000013
【図１２】
0003230475.tif 000014
【図１３】
0003230475.tif 000015
【図１４】
0003230475.tif 000016
【図１５】
0003230475.tif 000017
【図１６】
0003230475.tif 000018
【図１７】
0003230475.tif 000019
【図１８】
0003230475.tif 000020
【手続補正書】
【提出日】令和2年11月19日(2020.11.19)
【手続補正１】
【補正対象書類名】実用新案登録請求の範囲
【補正対象項目名】全文
【補正方法】変更
【補正の内容】
【実用新案登録請求の範囲】
【請求項１】
多数本の同寸の一方平角木材と、多数本の同寸の他方平角木材を設け、
前記一方平角木材及び前記他方平角木材は、共通の断面形状を備え、
前記一方平角木材の長手方向に適宜間隔で一方切欠き（２−１〜２−ｎ）・（２−１ａ〜２−ｎａ）を複数個開設し、
前記他方平角木材の長手方向に適宜間隔で前記一方切欠きと同寸の他方切欠き（３−１〜３−ｎ）・（３−１ａ〜３−ｎａ）を複数個開設し、
前記一方切欠き（２−１〜２−ｎ）及び前記他方切欠き（３−１〜３−ｎ）に、前記一方切欠き（２−１ａ〜２−ｎａ）及び／又は前記他方切欠き（３−１ａ〜３−ｎａ）を組付け可能とするとともに、この一方切欠き（２−１〜２−ｎ）・（２−１ａ〜２−ｎａ）及びこの他方切欠き（３−１〜３−ｎ）・（３−１ａ〜３−ｎａ）の深さに、前記一方平角木材及び前記他方平角木材の板幅が差込みされる構成とした、
前記一方平角木材及び前記他方平角木材を井桁形状に組付ける組子。
【請求項２】
前記一方切欠き（２−１〜２−ｎ）及び前記他方切欠き（３−１〜３−ｎ）に、前記一方切欠き（２−１ａ〜２−ｎａ）及び／又は前記他方切欠き（３−１ａ〜３−ｎａ）を、前記井桁形状に嵌め込むことで、複数の幾何学模様を製作可能とする構成とした請求項１に記載の組子。
【請求項３】
前記一方切欠き（２−１〜２−ｎ）・（２−１ａ〜２−ｎａ）と前記他方切欠き（３−１〜３−ｎ）・（３−１ａ〜３−ｎａ）とによる、前記井桁形状への嵌め込みと、この嵌め込みからの、この一方切欠きとこの他方切欠きの、嵌め込み解除と、を繰り返し、前記幾何学模様を変更可能とする構成とした請求項２に記載の組子。
【請求項４】
前記一方切欠き（２−１〜２−ｎ）・（２−１ａ〜２−ｎａ）及び前記他方切欠き（３−１〜３−ｎ）・（３−１ａ〜３−ｎａ）の幅と、前記一方平角木材と、前記他方平角木材の前記板幅との関係は、
切欠きの幅＞板幅
とする構成とした請求項１に記載の組子。
【請求項５】
前記組子は、台座を備え、
前記一方平角木材、及び／又は、前記他方平角木材の下辺には、楔部を備えており、この楔部を、前記台座の上面に均等間隔に設けた多数条の溝に嵌め込み可能とする構成とした請求項１に記載の組子。
【請求項６】
前記台座の前記溝に、前記一方平角木材、及び／又は、前記他方平角木材の前記楔部を嵌め込むことで、前記一方平角木材、及び／又は、前記他方平角木材が自立可能とする構成とした請求項５に記載の組子。
【手続補正２】
【補正対象書類名】明細書
【補正対象項目名】００２０
【補正方法】変更
【補正の内容】
【００２０】
これにより、請求項２と同じ効果が期待できる。また、この効果達成の一方切欠き、及び、他方切欠きの切欠きの幅と、一方平角木材と、他方平角木材の板幅との関係を提供できる。